(57)【要約】【課題】ストラップホルダーの幅を小さくできる筐体構造及び撮像装置を提供する。【解決手段】デジタルカメラ本体１おいて、右サイドフレーム１００は、右補強部１１０と、右ストラップホルダー部１２０と、を有する。右補強部１１０は、前カバー１０の右側端部１０Ａと後ろカバー４０の右側端部４０Ａのそれぞれに沿って配置され、両者に連結されている。右ストラップホルダー部１２０は、右補強部１１０の上端部に連なり、内部空間Ｖの外側に向かって折り曲げられている。【選択図】図３
2013033234.tif 000002
【特許請求の範囲】
【請求項１】
第１カバーと、
前記第１カバーに対向し、前記第１カバーとの間に内部空間を形成する第２カバーと、
前記第１カバーと前記第２カバーとの間に配置される第１サイドフレームと、
を備え、
前記第１サイドフレームは、
前記第１カバーの第１側端部と前記第２カバーの第２側端部のそれぞれに沿って配置され、前記第１側端部と前記第２側端部のそれぞれに連結される補強部と、
前記補強部の端部に連なり、前記内部空間の外側に向かって折り曲げられるストラップホルダー部と、
を有する、
筐体構造。
【請求項２】
前記第１側端部と前記補強部に挿通され加締め固定されるリベットを備える、
請求項１に記載の筐体構造。
【請求項３】
前記第１カバーと前記第２カバーとの間に配置され、前記第１サイドフレームに対向する第２サイドフレームを備える、
請求項１又は２に記載の筐体構造。
【請求項４】
前記第１カバーと前記第２カバーとは、金属によって構成されている、
請求項３に記載の筐体構造。
【請求項５】
請求項１乃至４のいずれかに記載の筐体構造と、
前記内部空間に配置され、光を電気信号に変換する撮像素子と、
を備える撮像装置。
【発明の詳細な説明】
【技術分野】
【０００１】
本発明は、ストラップホルダーを有する筐体構造、及びその筐体構造を備える撮像装置に関する。
【背景技術】
【０００２】
従来、ストラップを取り付けるためのストラップホルダーを備えるカメラが広く知られている。例えば、特許文献１では、平板状のストラップホルダーを備えるカメラが開示されている。特許文献１に記載のストラップホルダーは、カメラの側面から突出する突出部と、カメラ内部に挿入される支持部とを有する。突出部には、ストラップを挿通するためのストラップ孔が形成されている。支持部には、ネジを挿通するためのネジ穴と、位置決め用ボスを挿入するためのボス孔とが形成されており、支持部は、カメラ内部にネジ留めされる。
【先行技術文献】
【特許文献】
【０００３】
【特許文献１】特開平７−２２５４２３号公報
【発明の概要】
【発明が解決しようとする課題】
【０００４】
しかしながら、特許文献１に記載のストラップホルダーは、平板状に形成されており、ストラップホルダー自体の幅が大きいため、次のような問題が生じる。すなわち、特許文献１に記載されているように、支持部を固定するための構造をカメラ内部に設ければ、カメラの内部空間が減少してしまう。一方で、支持部を固定するための構造をカメラの外側面に設ければ、カメラ自体の横幅が大きくなってしまう。
【０００５】
本発明は、上述の状況に鑑みてなされたものであり、ストラップホルダーの幅を小さくできる筐体構造及び撮像装置を提供することを目的とする。
【課題を解決するための手段】
【０００６】
本発明に係る筐体構造は、第１カバーと、第１カバーに対向し、第１カバーとの間に内部空間を形成する第２カバーと、第１カバーと第２カバーとの間に配置される第１サイドフレームと、を備える。第１サイドフレームは、第１カバーの第１側端部と第２カバーの第２側端部のそれぞれに沿って配置され、第１側端部と第２側端部のそれぞれに連結される補強部と、補強部の端部に連なり、内部空間の外側に向かって折り曲げられるストラップホルダー部と、を有する。
【発明の効果】
【０００７】
本発明によれば、ストラップホルダーの幅を小さくできる筐体構造及び撮像装置を提供することができる。
【図面の簡単な説明】
【０００８】
【図１】デジタルカメラ本体の正面図
【図２】デジタルカメラ本体の背面図
【図３】デジタルカメラ本体の分解斜視図
【図４】右サイドフレームの構成を示す図
【図５】左サイドフレームの構成を示す図
【図６】前カバーユニットの分解斜視図
【図７】図１のＡ−Ａ断面図
【発明を実施するための形態】
【０００９】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、撮像装置としてデジタルカメラを例に挙げて説明する。以下の説明では、横撮り姿勢のデジタルカメラを基準として、被写体側を「前」、被写体の反対側を「後」、鉛直上側を「上」、鉛直下側を「下」、被写体からデジタルカメラに向かって右側を「右」、被写体からデジタルカメラに向かって左側を「左」と表現する。横撮り姿勢とは、横長矩形画像の長辺方向が画像内の水平方向と略一致する場合におけるデジタルカメラの姿勢である。
【００１１】
（１．全体構成）
図１は、実施形態に係るデジタルカメラ本体１の正面図である。図２は、実施形態に係るデジタルカメラ本体１の背面図である。図３は、実施形態に係るデジタルカメラ本体１の分解斜視図である。
【００１２】
デジタルカメラ本体１は、図１〜図３に示すように、前カバーユニット１０Ｕと、撮像ユニット２０と、天面・バッテリーユニット３０と、後ろカバー４０と、液晶ユニット５０と、右飾り部材６０と、左飾り部材７０と、メイン基板８０と、を備える。
【００１３】
前カバーユニット１０Ｕは、図３に示すように、前カバー１０と、右サイドフレーム１００と、左サイドフレーム２００と、によって構成される。
前カバー１０は、撮像ユニット２０の前方に配置される。前カバー１０は、撮像ユニット２０に交換レンズを装着するための開口部１０Ｓを有する。前カバー１０は、アルミニウムで構成されている。
【００１４】
右サイドフレーム１００は、概ね上下方向に沿って配置される長尺部材である。右サイドフレーム１００は、右補強部１１０と、右ストラップホルダー部１２０と、を有する。
右補強部１１０は、デジタルカメラ本体１の外枠の強度を維持するためのステンレスの板材である。右補強部１１０は、前カバー１０の右側端部１０Ａに沿って配置されるとともに、前カバー１０の右側端部１０Ａに連結されている。右補強部１１０と前カバー１０との連結状態については後述する。また、右補強部１１０は、後述する後ろカバー４０の右側端部４０Ａに沿って配置されるとともに、第１ビスＴ１および第２ビスＴ２を介して右側端部４０Ａに連結される。なお、前カバー１０の右側端部１０Ａは、前カバー１０の右端において上下方向に沿って延在する縦長の領域である。
【００１５】
右ストラップホルダー部１２０は、右補強部１１０の上端部に連なり、右飾り部材６０の右開口部６０Ｓからデジタルカメラ本体１（すなわち、図７に示す内部空間Ｖ）の外側に突出する。右ストラップホルダー部１２０は、デジタルカメラ本体１を携帯する時にデジタルカメラ本体１を吊り下げるためのストラップを挿通するためのストラップ通し孔１２０Ｓを備えている。
【００１６】
左サイドフレーム２００は、概ね上下方向に沿って配置される長尺部材である。左サイドフレーム２００は、左補強部２１０と、左ストラップホルダー部２２０と、を有する。
左補強部２１０は、デジタルカメラ本体１の外枠の強度を維持するためのステンレスの板材である。左補強部２１０は、前カバー１０の左側端部１０Ｂに沿って配置されるとともに、左側端部１０Ｂに連結されている。左補強部２１０と前カバー１０との連結状態については後述する。また、左補強部２１０は、後述する後ろカバー４０の左側端部４０Ｂに沿って配置されるとともに、第３ビスＴ３および第４ビスＴ４を介して左側端部４０Ｂに連結される。なお、前カバー１０の左側端部１０Ｂは、前カバー１０の左端において上下方向に沿って延在する縦長の領域である。
【００１７】
左ストラップホルダー部２２０は、左補強部２１０の上端部に連なり、左飾り部材７０の左開口部７０Ｓからデジタルカメラ本体１（すなわち、図７に示す内部空間Ｖ）の外側に突出する。左ストラップホルダー部２２０は、ストラップを挿通するためのストラップ通し孔２２０Ｓを備えている。
【００１８】
撮像ユニット２０は、図示しない交換レンズを支持する。撮像ユニット２０は、図示しない撮像素子を内蔵している。
天面・バッテリーユニット３０は、フラッシュボタン、シャッターボタンおよび電池室等を有する。天面・バッテリーユニット３０には、撮像ユニット２０が組み込まれる。
【００１９】
後ろカバー４０は、前カバー１０に対向して配置される。前カバーユニット１０Ｕと後ろカバー４０との間には、内部空間Ｖ（図７に図示）が形成される。本実施形態では、前カバーユニット１０Ｕと後ろカバー４０とによって、撮像ユニット２０、天面・バッテリーユニット３０、メイン基板８０を包み込む外枠としての筐体構造が構成される。
【００２０】
なお、図３に示すように、後ろカバー４０は、右側端部４０Ａに形成される第１締結部４１及び第２締結部４２を有する。第１締結部４１には第１ビスＴ１をねじ込むための第１締結孔４１Ｔが形成され、第２締結部４２には第２ビスＴ２をねじ込むための第２締結孔４２Ｔが形成されている。また、後ろカバー４０は、左側端部４０Ｂに形成される第３締結部４３及び第４締結部４４を有する。第３締結部４３には第３ビスＴ３をねじ込むための第３締結孔４３Ｔが形成され、第４締結部４４には第４ビスＴ４をねじ込むための第４締結孔４４Ｔが形成されている。後ろカバー４０の右側端部４０Ａは、後ろカバー４０の右端において上下方向に沿って延在する縦長の領域である。左側端部４０Ｂは、後ろカバー４０の左端において上下方向に沿って延在する縦長の領域である。
【００２１】
液晶ユニット５０は、後ろカバー４０に嵌め込まれる。
右飾り部材６０は、第１挿通穴６０ａ、第２挿通穴６０ｂおよび右開口部６０Ｓを有する。第１挿通穴６０ａおよび第２挿通穴６０ｂは、第１ビスＴ１および第２ビスＴ２を挿通するための穴である。右開口部６０Ｓは、図１及び図２に示すように、右サイドフレーム１００のうち右ストラップホルダー部１２０のみをデジタルカメラ本体１の右方に出すための開口である。第１及び第２ビスＴ１,Ｔ２は、右飾り部材６０の第１及び第２挿通穴６０ａ、６０ｂに挿通され、後ろカバー４０の第１及び第２締結孔４１Ｔ,４２Ｔにねじ込まれる。
【００２２】
左飾り部材７０は、第３挿通穴７０ａ、第４挿通穴７０ｂおよび左開口部７０Ｓを有する。第３挿通穴７０ａおよび第４挿通穴７０ｂは、第３ビスＴ３および第４ビスＴ４を挿通するための穴である。左開口部７０Ｓは、図１及び図２に示すように、左サイドフレーム２００のうち左ストラップホルダー部２２０のみをデジタルカメラ本体１の左方に出すための開口である。第３及び第４ビスＴ３,Ｔ４は、左飾り部材７０の第３及び第４挿通穴７０ａ、７０ｂに挿通され、後ろカバー４０の第３及び第４締結孔４３Ｔ,４４Ｔにねじ込まれる。
【００２３】
メイン基板８０は、天面・バッテリーユニット３０と後ろカバー４０との間に配置される。メイン基板８０は、デジタルカメラにおける主な電気的処理を行うＣＰＵを支持している。
【００２４】
（２．右サイドフレーム１００の構成）
図４（ａ）は、実施形態に係る右サイドフレーム１００の構成を示す斜視図である。図４（ｂ）は、実施形態に係る右サイドフレーム１００の構成を示す側面図である。
【００２５】
右補強部１１０は、図４（ａ）に示すように、上連結部１１１と、連通部１１２と、下連結部１１３と、補強部１１４と、によって構成される。
上連結部１１１は、前カバー１０の右側端部１０Ａの上側と後ろカバー４０の右側端部４０Ａの上側とを連結する。図４（ｂ）に示すように、上連結部１１１には、第１ビスＴ１をねじ込むための第１締結孔１１１Ｔと、後述する第１リベットＲ１（図６参照）を挿通するための第１挿通孔１１１Ｒと、が形成されている。上連結部１１１は、前カバー１０と後ろカバー４０をそれぞれ連結するために幅広に形成されている。
【００２６】
連通部１１２は、上連結部１１１と下連結部１１３とに連通する。連通部１１２は、上下方向に沿って延びる長板状に形成されている。連通部１１２は、前カバー１０及び後ろカバー４０を補強するために、前カバー１０と後ろカバー４０の間に挟まれる。連通部１１２は、本体薄型化のために上連結部１１１や下連結部１１３に比べて幅が狭く形成されている。
【００２７】
下連結部１１３は、前カバー１０の右側端部１０Ａの下側と後ろカバー４０の右側端部４０Ａの下側とを連結する。図４（ｂ）に示すように、下連結部１１３には、第２ビスＴ２をねじ込むための第２締結孔１１３Ｔと、後述する第２リベットＲ２（図６参照）を挿通するための第２挿通孔１１３Ｒと、が形成されている。下連結部１１３は、前カバー１０と後ろカバー４０をそれぞれ連結するために幅広に形成されている。
【００２８】
補強部１１４は、下連結部１１３の下端に連結される。補強部１１４は、デジタルカメラ本体１の右側面と底面との間の角を補強するために、Ｌ字状に曲げられている。補強部１１４は、撮像ユニット２０の右下の角を覆っている。
【００２９】
また、右ストラップホルダー部１２０は、上連結部１１１の上端に連なっている。右ストラップホルダー部１２０は、上連結部１１１に対して直角に折り曲げられており、デジタルカメラ本体１の外側へ向に向かって突出するように形成されている。また、右ストラップホルダー部１２０は、ストラップ通し孔１２０Ｓを形成するための幅を有している。
【００３０】
（３．左サイドフレーム２００の構成）
図５（ａ）は、実施形態に係る左サイドフレーム２００の構成を示す斜視図である。図５（ｂ）は、実施形態に係る左サイドフレーム２００の構成を示す側面図である。
【００３１】
左補強部２１０は、図５（ａ）に示すように、上連結部２１１と、連通部２１２と、下連結部２１３と、によって構成される。
上連結部２１１は、前カバー１０の左側端部１０Ｂの上側と後ろカバー４０の左側端部４０Ｂの上側とを連結する。図５（ｂ）に示すように、上連結部２１１には、第３ビスＴ３をねじ込むための第３締結孔２１１Ｔと、後述する第３リベットＲ３（図６参照）を挿通するための第３挿通孔２１１Ｒと、が形成されている。上連結部２１１は、前カバー１０と後ろカバー４０をそれぞれ連結するために幅広に形成されている。
【００３２】
連通部２１２は、上連結部２１１と下連結部２１３とに連通する。連通部２１２は、上下方向に沿って延びる長板状に形成されている。連通部２１２は、前カバー１０及び後ろカバー４０を補強するために、前カバー１０と後ろカバー４０の間に挟まれる。連通部２１２は、本体薄型化のために上連結部２１１や左下連結部２１３に比べて幅が狭く形成されている。
【００３３】
下連結部２１３は、前カバー１０の左側端部１０Ｂの下側と後ろカバー４０の左側端部４０Ｂの下側とを連結する。図５（ｂ）に示すように、下連結部２１３には、第４ビスＴ４をねじ込むための第４締結孔２１４Ｔと、後述する第４リベットＲ４（図６参照）を挿通するための第４挿通孔２１３Ｒと、が形成されている。下連結部２１３は、前カバー１０と後ろカバー４０をそれぞれ連結するために幅広に形成されている。
【００３４】
また、左ストラップホルダー部２２０は、上連結部２１１の上端に連なっている。左ストラップホルダー部２２０は、上連結部２１１に対して直角に折り曲げられており、デジタルカメラ本体１の外側に向かって突出するように形成されている。また、左ストラップホルダー部２２０は、ストラップ通し孔２２０Ｓを形成するための幅を有している。
【００３５】
（４．前カバーユニット１０Ｕの構成）
図６は、実施形態に係る前カバーユニット１０Ｕの分解斜視図である。
図６に示すように、前カバー１０は、右側端部１０Ａに形成される第１挿通部１１及び第２挿通部１２を有する。第１挿通部１１には第１リベットＲ１を挿通するための第１挿通孔１１Ｒが形成され、第２挿通部１２には第２リベットＲ２を挿通するための第２挿通孔１２Ｒが形成されている。また、前カバー１０は、左側端部１０Ｂに形成される第３挿通部１３及び第４挿通部１４を有する。第３挿通部１３には第３リベットＲ３を挿通するための第３挿通孔１３Ｒが形成され、第４挿通部１４には第４リベットＲ４を挿通するための第４挿通孔１４Ｒが形成されている。
【００３６】
第１リベットＲ１は、前カバー１０の第１挿通部１１に形成された第１挿通孔１１Ｒと、右サイドフレーム１００の上連結部１１１に形成された第１挿通孔１１１Ｒと、に挿通されて加締め固定される。同様に、第２リベットＲ２は、前カバー１０の第２挿通部１２に形成された第２挿通孔１２Ｒと、右サイドフレーム１００の下連結部１１３に形成された第２挿通孔１１３Ｒと、に挿通されて加締め固定される。これによって、前カバー１０と右サイドフレーム１００とが互いに連結される。
【００３７】
第３リベットＲ３は、前カバー１０の第３挿通部１３に形成された第３挿通孔１３Ｒと、左サイドフレーム２００の上連結部２１１に形成された第３挿通孔２１１Ｒと、に挿通されて加締め固定される。同様に、第４リベットＲ４は、前カバー１０の第４挿通部１４に形成された第４挿通孔１４Ｒと、左サイドフレーム２００の下連結部２１３に形成された第４挿通孔２１３Ｒと、に挿通されて加締め固定される。これによって、前カバー１０と左サイドフレーム２００とが互いに連結される。
【００３８】
本実施形態では、前カバー１０の第１乃至第４挿通孔１１Ｒ〜１４Ｒそれぞれの穴径と、右サイドフレーム１００の第１及び第２挿通孔１１１Ｒ,１１３Ｒの穴径と、左サイドフレーム２００の第３及び第４挿通孔２１１Ｒ,２１３Ｒの穴径とは、第１乃至第４リベットＲ１〜Ｒ４の外径と一致している。これによって、前カバー１０と右サイドフレーム１００及び左サイドフレーム２００それぞれとの間の位置ずれが抑制されるとともに、互いの強固な締結が実現されている。
【００３９】
ここで、図７は、図１のＡ−Ａ断面図である。
図７に示すように、右サイドフレーム１００及び左サイドフレーム２００は、前カバー１０の内側に配置されている。そして、前カバー１０の外側から第１リベットＲ１と第２リベットＲ２が挿入され、第１リベットＲ１と第２リベットＲ２それぞれの内側端が加締め固定されている。これによって、第１リベットＲ１と第２リベットＲ２それぞれが内部空間Ｖに突出することが抑制され、内部空間Ｖの容量の確保が実現されている。
【００４０】
また、後ろカバー４０は、右サイドフレーム１００及び左サイドフレーム２００の外側に配置されている。そして、右サイドフレーム１００の上連結部１１１に形成される第１締結孔１１１Ｔと、後ろカバー４０の第１締結部４１に形成される第１締結孔４１Ｔとに、第１ビスＴ１が外側からねじ込まれている。同様に、左サイドフレーム２００の上連結部２１１に形成される第３締結孔２１１Ｔと、後ろカバー４０の第３締結部４３に形成される第３締結孔４３Ｔとに、第３ビスＴ３が外側からねじ込まれている。
【００４１】
なお、図７では、前カバー１０と各サイドフレームとがリベットで固定されているが、後ろカバー４０と各サイドフレームとはリベットで固定されてもよい。これによって、内部空間Ｖのうち後側の空間の有効利用が可能となる。
【００４２】
（作用及び効果）
（１）実施形態に係るデジタルカメラ本体１おいて、右サイドフレーム１００（第１サイドフレームの一例）は、右補強部１１０（補強部の一例）と、右ストラップホルダー部１２０（ストラップホルダー部の一例）と、を有する。右補強部１１０は、前カバー１０（第１カバーの一例）の右側端部１０Ａ（第１側端部の一例）と後ろカバー４０（第２カバーの一例）の右側端部４０Ａ（第２側端部の一例）のそれぞれに沿って配置され、両者に連結されている。右ストラップホルダー部１２０は、右補強部１１０の上端部に連なり、内部空間Ｖの外側に向かって折り曲げられている。
【００４３】
このように、右ストラップホルダー部１２０は、デジタルカメラ本体１の外枠を構成する右補強部１１０と一体的に形成されているため、右ストラップホルダー部１２０の幅を小さくすることができる。また、右ストラップホルダー部１２０がデジタルカメラ本体１の内部空間Ｖに侵入することを抑えることができ、また、デジタルカメラ本体１の外側に右ストラップホルダー部１２０を支持する構造を設ける必要もない。従って、内部空間Ｖの拡大及びデジタルカメラ本体１の幅の縮小を両立させることができる。
【００４４】
なお、以上の効果は、左補強部１１０（補強部の一例）と左ストラップホルダー部２２０（ストラップホルダー部の一例）とを有する左サイドフレーム２００によっても同様に得ることができる。
【００４５】
（２）実施形態に係るデジタルカメラ本体１は、前カバー１０の右側端部１０Ａと右サイドフレーム１００の右補強部１１０に挿通され加締め固定される第１リベットＲ１及び第２リベットＲ２（リベットの一例）を備える。
【００４６】
このように、前カバー１０と右サイドフレーム１００とが第１リベットＲ１及び第２リベットＲ２によって互いに加締め固定されるので、前カバー１０と右サイドフレーム１００とに位置ずれが生じることを抑制できる。
【００４７】
この効果は、前カバー１０の左側端部１０Ｂと左サイドフレーム２００の左補強部２１０に挿通され加締め固定される第３リベットＲ３及び第４リベットＲ４（リベットの一例）によっても同様に得ることができる。
【００４８】
（３）実施形態に係るデジタルカメラ本体１は、前カバー１０と後ろカバー４０との間に配置され、右サイドフレーム１００に対向する左サイドフレーム２００を備える。
このように、前カバー１０と後ろカバー４０を右サイドフレーム１００および左サイドフレーム２００によって連結することで、デジタルカメラ本体１の外枠が構成されている。従って、内部空間Ｖに別途フレームを設ける必要がないので、デジタルカメラ本体１のさらなるコンパクト化を図ることができる。
【００４９】
（４）実施形態に係るデジタルカメラ本体１において、前カバー１０と後ろカバー４０とは、アルミニウム（金属の一例）によって構成されている。従って、内部空間Ｖに別途フレームを設けなくても、外枠としての強度を確保することができる。
【００５０】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００５１】
（Ａ）上記実施形態において、デジタルカメラ本体１は、右サイドフレーム１００と左サイドフレーム２００とを備えることとしたが、これに限られるものではない。デジタルカメラ１は、右サイドフレーム１００または左サイドフレーム２００の一方のみを備えていてもよい。
【００５２】
（Ｂ）上記実施形態において、前カバー１０と右サイドフレーム１００とは、第１リベットＲ１および第２リベットＲ２によって加締め固定されることとしたが、これに限られるものではない。前カバー１０と右サイドフレーム１００とは、ネジなどによって固定されてもよい。同様に、前カバー１０と左サイドフレーム２００とがネジなどによって固定されてもよい。
【００５３】
（Ｃ）上記実施形態において、右サイドフレーム１００は、前カバー１０に加締め固定されることとしたが、これに限られるものではない。右サイドフレーム１００は、後ろカバー４０に加締め固定されてもよい。同様に、左サイドフレーム２００は、前カバー１０に代えて後ろカバー４０に加締め固定されてもよい。
【００５４】
（Ｄ）上記実施形態では、「撮像装置」の一例としてデジタルカメラを挙げて説明したが、「撮像装置」の他の形態としてはビデオカメラなどが挙げられる。
（Ｅ）上記実施形態では、ストラップホルダーの幅を縮小可能な「筐体構造」を「撮像装置」に適用する場合について説明したが、このような「筐体構造」は、「撮像装置」に限らず、携帯電話、ICレコーダーなどの種々の電子機器に適用することができる。
【００５５】
このように、本発明はここでは記載していない様々な実施形態等を含むことは勿論である。従って、本発明の技術的範囲は上記の説明から妥当な特許請求の範囲に係る発明特定事項によってのみ定められるものである。
【産業上の利用可能性】
【００５６】
本発明によれば、ストラップホルダーの幅を小さくできる筐体構造及び撮像装置を提供できるので、電子機器分野に利用可能である。
【符号の説明】
【００５７】
１…デジタルカメラ、１０…前カバー、１１…第１挿通部、１１Ｒ…第１挿通孔、１２…第２挿通部、１２Ｒ…第２挿通孔、１３…第３挿通部、１３Ｒ…第３挿通孔、１４…第４挿通部、１４Ｒ…第４挿通孔、１０Ｕ…前カバーユニット、４０…後ろカバー、４０Ａ…右側端部、４１…第１締結部、４１Ｔ…第１締結孔、４２…第２締結部、４２Ｔ…第２締結孔、４３…第３締結部、４３Ｔ…第３締結孔、４４…第４締結部、４４Ｔ…第４締結孔、６０…右飾り部材、６０ａ…第１挿通穴、６０ｂ…第２挿通穴、６０Ｓ…右開口部、７０…左飾り部材、７０ａ…第３挿通穴、７０ｂ…第４挿通穴、７０Ｓ…左開口部、１００…右サイドフレーム、１１０…右補強部、１１１…上連結部、１１１Ｔ…第１締結孔、１１１Ｒ…第１挿通孔、１１２…連通部、１１３…下連結部、１１３Ｔ…第２締結孔、１１３Ｒ…第２挿通孔、１１４…補強部、１２０…右ストラップホルダー部、２００…左サイドフレーム、２１０…左補強部、２１１…上連結部、２１１Ｔ…第３締結孔、２１１Ｒ…第３挿通孔、２１２…連通部、２１３…下連結部、２１４Ｔ…第４締結孔、２１３Ｒ…第４挿通孔、２２０…左ストラップホルダー部、Ｔ１〜Ｔ４…第１乃至第４ビス、Ｒ１〜Ｒ４…第１乃至第４リベット
【図１】
2013033234.tif 000003
【図２】
2013033234.tif 000004
【図３】
2013033234.tif 000005
【図４】
2013033234.tif 000006
【図５】
2013033234.tif 000007
【図６】
2013033234.tif 000008
【図７】
2013033234.tif 000009